(57)【要約】【課題】本発明の目的は、通話応答中であっても、通話応答中に受信した電子メール等の表示情報を表示部により閲覧することができる情報処理装置を提供することである。【解決手段】  通話中に、インターネット通信部５を介して、電子メールが受信されたか否かが判定される。電子メールが受信されたと判定されたとき、受信した電子メールアドレスの送信者と、通話相手とが一致するか否かが判定される。信した電子メールアドレスの送信者と、通話相手とが一致すると判定されたとき、受信した電子メールの画像情報である電子メール画像データが、表示部１６に表示される。これにより、利用者は、通話応答中であっても、通話相手から受信した電子メールを、自動で表示部１６により閲覧することができる。【選択図】図８
2011077858.tif 000002
【特許請求の範囲】
【請求項１】
通話中の通話先を識別するための通話識別情報を取得する第１取得部と、
ネットワーク上の所在を示し、且つ、前記第１取得部により取得された前記通話識別情報に対応する第１所在情報を取得する第２取得部と、
ネットワークを介して接続される他の装置から、前記他の装置のネットワーク上の所在を示す第２所在情報を含む所定の表示情報を受信する受信部と、
前記受信部により受信された第２所在情報と、前記第１所在情報とが一致するか否かを判定する判定部と、
前記通話中のときに、前記判定部により一致すると判定されたとき、前記受信部が受信した表示情報を表示させる表示信号を所定の表示部に供給する供給部と、
を備えることを特徴とする情報処理装置。
【請求項２】
電話回線により、通話先と通話を行う通話部と、
前記通話部により現在通話中であるか否かを判定する第２判定部と、
を備え、
前記第１取得部は、前記通話部を用いて電話回線により通話を行うための前記通話識別情報を取得し、
前記受信部は、前記電話回線とは異なるネットワークを介して接続される他の装置から、前記他の装置のネットワーク上の所在を示す前記第２所在情報を含む表示情報を受信し、
前記第２判定部により、現在通話中であると判定され、且つ、前記判定部により一致すると判定されたとき、前記供給部は、前記受信部が受信した表示情報を表示させる表示信号を所定の表示部に供給することを特徴とする請求項１に記載の情報処理装置。
【請求項３】
前記第１所在情報または前記第２所在情報と、前記第１所在情報または前記第２所在情報に１人以上対応付けられた個人を識別する第１識別情報を記憶する記憶手段と、
前記受信部は、前記第２所在情報と、前記表示情報を送信した送信者個人を識別する第２識別情報とを取得し、
前記情報処理装置は、
前記第１識別情報と前記第２識別情報とが一致するか否かを判定する第３判定部と、
を備え、
前記判定部により一致すると判定され、且つ、前記第３判定部により一致すると判定されたとき、前記供給部は、前記受信部が受信した表示情報を所定の表示部に表示させる表示信号を供給することを特徴とする請求項１または請求項２に記載の情報処理装置。
【請求項４】
前記受信部が受信した前記表示情報を、前記１人以上に対応付けられた第１識別情報ごとに分けて記憶する第２記憶手段と、
前記第１取得部により取得された前記第１所在情報に対応する前記第１識別情報を決定する第１決定部と、
を備え、
前記供給部は、前記第１決定部により決定された前記第１識別情報に対応する表示情報を、前記第２記憶手段から読み出して、前記所定の表示部に表示させる表示信号を供給することを特徴とする請求項３に記載の情報処理装置。
【請求項５】
前記第２記憶手段は、前記受信部が受信した前記表示情報を、前記受信部が受信した日時を示す日時情報と共に記憶し、
前記第１決定部により決定された表示情報の中から、現在の日時から所定の範囲内の日時含まれる前記日時情報である表示情報を、前記第２記憶部の中から決定する第２決定部を備え、
前記供給部は、前記第２決定部により決定された表示情報を所定の表示部に表示させる表示信号を供給することを特徴とする請求項４に記載の情報処理装置。
【請求項６】
前記供給部が、前記第１決定部または前記第２決定部により決定された表示情報を供給しているとき、前記受信部が前記表示情報を受信したか否かを判定する受信判定部を備え、
前記受信判定部により受信したと判定されたとき、前記判定部は、前記第２所在情報と、前記第１所在情報とが一致するか否かを判定し、
前記判定部により一致すると判定されたとき、前記供給部は、前記受信部が受信した表示情報を表示させる表示信号を所定の表示部に供給することを特徴とする請求項４または請求項５に記載の情報処理装置。
【請求項７】
前記受信部は、前記表示情報として電子メールを受信し、
前記判定部により一致すると判定されたとき、前記供給部は、前記受信部が受信した電子メールを表示させることを特徴とする請求項１から請求項６のいずれか一項に記載の情報処理装置。
【請求項８】
前記電子メールは、前記電子メール中に文字で表された文字情報と、前記電子メールに添付された所定の表示情報とを含み、
前記受信部は、前記電子メールを受信し、
前記判定部により一致すると判定されたとき、前記供給部は、前記受信部が受信した前記表示情報を表示させることを特徴とする請求項７に記載の情報処理装置。
【請求項９】
通話中の通話先を識別するための通話識別情報を取得する第１取得ステップと、
ネットワーク上の所在を示し、且つ、前記第１取得部により取得された前記通話識別情報に対応する第１所在情報を取得する第２取得ステップと、
ネットワークを介して接続される他の装置から、前記他の装置のネットワーク上の所在を示す第２所在情報を含む所定の表示情報を受信する受信ステップと、
前記受信ステップにより受信された第２所在情報と、前記第１所在情報とが一致するか否かを判定する判定ステップと、
前記通話中のとき、前記判定ステップにより一致すると判定されたとき、前記受信ステップが受信した表示情報を表示させる表示信号を所定の表示部に供給する供給ステップと、
を備えることを特徴とする情報処理方法。
【請求項１０】
通話中の通話先を識別するための通話識別情報を取得する第１取得ステップと、
ネットワーク上の所在を示し、且つ、前記第１取得部により取得された前記通話識別情報に対応する第１所在情報を取得する第２取得ステップと、
ネットワークを介して接続される他の装置から、前記他の装置のネットワーク上の所在を示す第２所在情報を含む所定の表示情報を受信する受信ステップと、
前記受信ステップにより受信された第２所在情報と、前記第１所在情報とが一致するか否かを判定する判定ステップと、
前記通話中のとき、前記判定ステップにより一致すると判定されたとき、前記受信ステップが受信した表示情報を表示させる表示信号を所定の表示部に供給する供給ステップと、
をコンピュータに実行させるためのプログラム。
【発明の詳細な説明】
【技術分野】
【０００１】
本発明は、表示情報を表示させながら、他人と通話を行う情報処理装置に関する。
【背景技術】
【０００２】
近年、インターネットの普及に伴い、各家庭にインターネットに接続可能な情報端末が普及している。特許文献１には、表示部を備えた電話システムについて記載されている。具体的には、電話に着信があったとき、電話をかけて来た相手先の電話番号が取得される。電話システムの記憶部に記憶された情報の中から、取得された電話番号に一致する電子メールアドレスが決定される。決定された電子メールアドレスに基づいて、最近受信された電子メールの内容が表示される。
【先行技術文献】
【特許文献】
【０００３】
【特許文献１】特開２００２−３３０２３４号公報
【発明の概要】
【発明が解決しようとする課題】
【０００４】
一方、通話応答中であっても、電子メール等の表示情報を表示部で見たい場合がある。例えば、通話中に、通話相手等から送られてくる表示情報を見たい場合である。しかしながら、特許文献１には、通話応答中に電子メール等の表示情報が受信したことについては記載されていない。そのため、通話応答前に受信した電子メール等の表示情報は表示部により見ることができたが、通話応答中に受信した電子メール等の表示情報を表示部により閲覧することができなかった。
【０００５】
本発明は、上述した問題点を解決するためになされたものである。本発明の目的は、通話応答中であっても、通話応答中に受信した電子メール等の表示情報を表示部により閲覧することができる情報処理装置を提供することである。
【課題を解決するための手段】
【０００６】
請求項１に記載の発明によれば、通話中の通話先を識別するための通話識別情報を取得する第１取得部と、ネットワーク上の所在を示し、且つ、前記第１取得部により取得された前記通話識別情報に対応する第１所在情報を取得する第２取得部と、ネットワークを介して接続される他の装置から、前記他の装置のネットワーク上の所在を示す第２所在情報を含む所定の表示情報を受信する受信部と、前記受信部により受信された第２所在情報と、前記第１所在情報とが一致するか否かを判定する判定部と、前記通話中のときに、前記判定部により一致すると判定されたとき、前記受信部が受信した表示情報を表示させる表示信号を所定の表示部に供給する供給部と、を備えることを特徴とする情報処理装置である。
【０００７】
請求項２に記載の発明によれば、電話回線により、通話先と通話を行う通話部と、前記通話部により現在通話中であるか否かを判定する第２判定部と、を備え、前記第１取得部は、前記通話部を用いて電話回線により通話を行うための前記通話識別情報を取得し、前記受信部は、前記電話回線とは異なるネットワークを介して接続される他の装置から、前記他の装置のネットワーク上の所在を示す前記第２所在情報を含む表示情報を受信し、前記第２判定部により、現在通話中であると判定され、且つ、前記判定部により一致すると判定されたとき、前記供給部は、前記受信部が受信した表示情報を表示させる表示信号を所定の表示部に供給することを特徴とする。
【０００８】
請求項３に記載の発明によれば、前記第１所在情報または前記第２所在情報と、前記第１所在情報または前記第２所在情報に１人以上対応付けられた個人を識別する第１識別情報を記憶する記憶手段と、前記受信部は、前記第２所在情報と、前記表示情報を送信した送信者個人を識別する第２識別情報とを取得し、前記情報処理装置は、前記第１識別情報と前記第２識別情報とが一致するか否かを判定する第３判定部と、を備え、前記判定部により一致すると判定され、且つ、前記第３判定部により一致すると判定されたとき、前記供給部は、前記受信部が受信した表示情報を所定の表示部に表示させる表示信号を供給することを特徴とする。
【０００９】
請求項４に記載の発明によれば、前記受信部が受信した前記表示情報を、前記１人以上に対応付けられた第１識別情報ごとに分けて記憶する第２記憶手段と、前記第１取得部により取得された前記第１所在情報に対応する前記第１識別情報を決定する第１決定部と、を備え、前記供給部は、前記第１決定部により決定された前記第１識別情報に対応する表示情報を、前記第２記憶手段から読み出して、前記所定の表示部に表示させる表示信号を供給することを特徴とする。
【００１０】
請求項５に記載の発明によれば、前記第２記憶手段は、前記受信部が受信した前記表示情報を、前記受信部が受信した日時を示す日時情報と共に記憶し、前記第１決定部により決定された表示情報の中から、現在の日時から所定の範囲内の日時含まれる前記日時情報である表示情報を、前記第２記憶部の中から決定する第２決定部を備え、前記供給部は、前記第２決定部により決定された表示情報を所定の表示部に表示させる表示信号を供給することを特徴とする。
【００１１】
請求項６に記載の発明によれば、前記供給部が、前記第１決定部または前記第２決定部により決定された表示情報を供給しているとき、前記受信部が前記表示情報を受信したか否かを判定する受信判定部を備え、前記受信判定部により受信したと判定されたとき、前記判定部は、前記第２所在情報と、前記第１所在情報とが一致するか否かを判定し、前記判定部により一致すると判定されたとき、前記供給部は、前記受信部が受信した表示情報を表示させる表示信号を所定の表示部に供給することを特徴とする。
【００１２】
請求項７に記載の発明によれば、前記受信部は、前記表示情報として電子メールを受信し、前記判定部により一致すると判定されたとき、前記供給部は、前記受信部が受信した電子メールを表示させることを特徴とする。
【００１３】
請求項８に記載の発明によれば、前記電子メールは、前記電子メール中に文字で表された文字情報と、前記電子メールに添付された所定の表示情報とを含み、前記受信部は、前記電子メールを受信し、前記判定部により一致すると判定されたとき、前記供給部は、前記受信部が受信した前記表示情報を表示させることを特徴とする。
【００１４】
請求項９に記載の発明によれば、通話中の通話先を識別するための通話識別情報を取得する第１取得ステップと、ネットワーク上の所在を示し、且つ、前記第１取得部により取得された前記通話識別情報に対応する第１所在情報を取得する第２取得ステップと、ネットワークを介して接続される他の装置から、前記他の装置のネットワーク上の所在を示す第２所在情報を含む所定の表示情報を受信する受信ステップと、前記受信ステップにより受信された第２所在情報と、前記第１所在情報とが一致するか否かを判定する判定ステップと、前記通話中のとき、前記判定ステップにより一致すると判定されたとき、前記受信ステップが受信した表示情報を表示させる表示信号を所定の表示部に供給する供給ステップと、を備えることを特徴とする情報処理方法である。
【００１５】
請求項１０に記載の発明によれば、通話中の通話先を識別するための通話識別情報を取得する第１取得ステップと、ネットワーク上の所在を示し、且つ、前記第１取得部により取得された前記通話識別情報に対応する第１所在情報を取得する第２取得ステップと、ネットワークを介して接続される他の装置から、前記他の装置のネットワーク上の所在を示す第２所在情報を含む所定の表示情報を受信する受信ステップと、前記受信ステップにより受信された第２所在情報と、前記第１所在情報とが一致するか否かを判定する判定ステップと、前記通話中のとき、前記判定ステップにより一致すると判定されたとき、前記受信ステップが受信した表示情報を表示させる表示信号を所定の表示部に供給する供給ステップと、をコンピュータに実行させるためのプログラムである。
【発明の効果】
【００１６】
請求項１に記載の発明によれば、判定部は、受信部により受信された第２所在情報と、第１所在情報とが一致するか否かを判定する。通話中のときに、判定部により一致すると判定されたとき、供給部は、受信部が受信した表示情報を表示させる表示信号を所定の表示部に供給する。この結果、通話応答中であっても、通話応答中に受信した表示情報を表示部により閲覧することができる。
【００１７】
請求項２に記載の発明によれば、受信部は、電話回線とは異なるネットワークを介して接続される他の装置から、他の装置のネットワーク上の所在を示す第２所在情報を含む表示情報を受信する。第２判定部により、現在通話中であると判定され、且つ、判定部により一致すると判定されたとき、供給部は、受信部が受信した表示情報を表示させる表示信号を所定の表示部に供給する。従って、通話を行う回線と、表示情報を受信させる回線とが異なっている。この結果、それぞれ異なる回線を用いているため、通話中であっても表示情報が受信できるとともに、通話応答中に受信した表示情報を表示部により閲覧することができる。
【００１８】
一般的な家庭に備えられる情報機器には、１人以上の個人に対して、１つの通話先を示す電話番号等が割当てられることが多い。請求項３に記載の発明によれば、記憶手段は、第１所在情報または第２所在情報と、第１所在情報または第２所在情報に１以上対応付けられた個人を識別する第１識別情報を記憶する。第３判定部は、第１識別情報と第２識別情報とが一致するか否かを判定する。判定部により一致すると判定され、且つ、第３判定部により一致すると判定されたとき、供給部は、受信部が受信した表示情報を所定の表示部に表示させる表示信号を供給する。従って、通話先に対応付けられた１以上の個人を識別して、表示部により表示させる表示情報が決定される。この結果、通話応答中であっても、通話相手個人を識別して、通話応答中に受信した表示情報を表示部により閲覧することができる。
【００１９】
請求項４に記載の発明によれば、第２記憶手段は、受信部が受信した表示情報を、１人以上に対応付けられた第１識別情報ごとに分けて記憶する。供給部は、第１決定部により決定された第１識別情報に対応する表示情報を、第２記憶手段から読み出して、所定の表示部に表示させる表示信号を供給する。この結果、各個人ごとに記憶された表示情報が容易に決定され、通話中の相手から過去に受信した表示情報を表示部により閲覧することができる。
【００２０】
請求項５に記載の発明によれば、第２決定部は、第１決定部により決定された表示情報の中から、現在の日時から所定の範囲内の日時含まれる日時情報である表示情報を、第２記憶部の中から決定する。供給部は、第２決定部により決定された表示情報を所定の表示部に表示させる表示信号を供給する。この結果、通話中の相手から過去に受信した表示情報の中で、現在の日時から最近受信したものが決定される。そのため、通話中の相手から最近受信した表示情報を表示部により閲覧することができる。
【００２１】
請求項６に記載の発明によれば、受信判定部により受信したと判定されたとき、判定部は、第２所在情報と、第１所在情報とが一致するか否かを判定する。判定部により一致すると判定されたとき、供給部は、受信部が受信した表示情報を表示させる表示信号を所定の表示部に供給する。この結果、通話中の相手から過去に受信した電子メール等の表示情報が表示部に表示されている場合であっても、通話応答中に受信した表示情報を表示部により閲覧することができる。
【００２２】
請求項７に記載の発明によれば、受信部は、表示情報として電子メールを受信する。判定部により一致すると判定されたとき、供給部は、受信部が受信した電子メールを表示させる。この結果、通話応答中であっても、通話応答中に受信した電子メールを表示部により閲覧することができる。
【００２３】
請求項８に記載の発明によれば、電子メールは、電子メール中に文字で表された文字情報と、電子メールに添付された所定の表示情報とを含む。受信部は、電子メールを受信する。判定部により一致すると判定されたとき、供給部は、受信部が受信した表示情報を表示させる。この結果、通話応答中であっても、通話応答中に受信した電子メールに添付された表示情報を、表示部により閲覧することができる。
【００２４】
請求項９及び請求項１０に記載の発明によれば、判定ステップは、受信ステップにより受信された第２所在情報と、第１所在情報とが一致するか否かを判定する。通話中のときに、判定ステップにより一致すると判定されたとき、供給ステップは、受信ステップが受信した表示情報を表示させる表示信号を所定の表示部に供給する。この結果、通話応答中であっても、通話応答中に受信した表示情報を表示部により閲覧することができる。
【図面の簡単な説明】
【００２５】
【図１】第１の実施形態の情報処理装置１０の外観図である。
【図２】第１の実施形態の情報処理装置１０の電気的構成を示すブロック図である。
【図３】個人情報記憶領域３１に記憶される個人情報の記憶状態の一例を示す概念図である。
【図４】ＦＡＸデータ記憶領域３２に記憶されたＦＡＸデータの記憶状態を示す概念図である。
【図５】電子メールデータ記憶領域３３に記憶された電子メールの記憶状態を示す概念図である。
【図６】タッチパネルディスプレイ１２により表示される表示情報の一例を示す概念図である。
【図７】情報処理装置１０における第１の実施形態のメイン動作の処理手順を示すフローチャートである。
【図８】情報処理装置１０における第１の実施形態の通話中処理の手順を示すフローチャートである。
【図９】第２の実施形態における個人情報記憶領域３１に記憶される個人情報の一例を示す概念図である。
【図１０】第２の実施形態におけるＦＡＸデータ記憶領域３２に記憶されるＦＡＸデータの一例を示す概念図である。
【図１１】第２の実施形態における電子メールデータ記憶領域３３に記憶される電子メールデータの一例を示す概念図である。
【図１２】情報処理装置１０における第２の実施形態のメイン動作の処理手順を示すフローチャートである。
【図１３】情報処理装置１０における第２の実施形態の通話中処理の手順を示すフローチャートである。
【発明を実施するための最良の形態】
【００２６】
＜第１の実施形態＞
以下、本発明の第１の実施形態を図面に基づいて説明する。
【００２７】
［第１の実施形態の情報処理装置の外観図］
図１は、第１の実施形態の情報処理装置１０の外観図である。情報処理装置１０は、タッチパネルディスプレイ１２と、通話部１１とを備える。また、情報処理装置１０には、ペン２０が備えられる。ペン２０は、情報処理装置１０に備えられていなくても良い。
【００２８】
タッチパネルディスプレイ１２は、所定の表示情報が表示されるとともに、利用者の接触操作に応じて所定の情報の入力が可能である。タッチパネル１２は、公知のタッチパネルが用いられる。
【００２９】
通話部１１は、電話回線またはインターネット回線を用いて、情報処理装置１０の利用者に他者と通話させる。通話部１１は、音声入力部１３と、音声出力部１４とを備える。音声入力部１３は、利用者の音声情報が入力される。音声出力部１４は、電話回線またはインターネット回線を利用して受信した他者の音声情報が出力される。音声入力部１３により入力された音声情報は、電話回線またはインターネット回線を用いて、他者に送信される。また、音声出力部１４により出力される音声情報は、他者から利用者へ送信された音声情報が出力される。通話部１１は、例えば、一般的な電話である。本実施形態では、通話部１１は、電話回線と接続される。尚、音声入力部１３及び音声出力部１４は、通話部１１に含まれる。そのため、音声入力部１３及び音声出力部１４については、図１に特に図示しない。
【００３０】
ペン２０は、タッチパネルディスプレイ１２に接触動作させるためのペンである。ペン２０は、タッチパネルディスプレイ１２に接触可能な部材であれば特に限定されない。
【００３１】
［第１の実施形態の情報処理装置１０の電気的構成］
図２は、第１の実施形態の情報処理装置１０の電気的構成を示すブロック図である。図２に示すように、第１の実施形態の情報処理装置１０には、情報処理装置１０を制御するＣＰＵ１が備えられている。ＣＰＵ１には、ＲＡＭ２とＨＤＤ３とＲＯＭ４と、インターネット通信部５と、電話回線通信部６と、通話部１１と、タッチパネルディスプレイ１２とがそれぞれ電気的に接続されている。ＲＡＭ２、ＨＤＤ３、ＲＯＭ４などの記憶手段とＣＰＵ１とは、情報処理装置１０のコンピュータを構成している。そのコンピュータは、情報処理装置１０の動作を制御処理する。尚、図示はしないが、情報処理装置１は、電話回線通信部６を介してＦＡＸを送受信する機能を備える。ＦＡＸを送受信する機能は、公知のＦＡＸ機能である。
【００３２】
詳細には、タッチパネルディスプレイ１２は、表示制御部１５と表示部１６とタッチパネル１７と入力制御部１８とを含む。表示制御部１５と入力制御部１８とは夫々、ＣＰＵ１と電気的に接続される。表示制御部１５は、表示部１６と電気的に接続される。また、入力制御部１８は、タッチパネル１７と電気的に接続される。
【００３３】
通話部１１は、音声入力部１３と音声出力部１４とを含む。音声入力部１３と音声出力部１４とは夫々、ＣＰＵ１と電気的に接続される。
【００３４】
ＲＡＭ２は、通話識別情報一時記憶領域２１と、受信情報一時記憶領域２２と、表示情報一時記憶領域２３とを含む。
【００３５】
通話識別情報一時記憶領域２１は、通話識別情報を一時記憶する。通話識別情報は、通話部１１により通話中の通話相手先を示す情報である。第１の実施形態では、通話識別情報は、電話番号である。この電話番号は、固定電話の電話番号であっても良いし、携帯電話の電話番号であっても良い。ＩＰ電話の電話番号であっても良い。しかしながら、通話識別情報は電話番号に限定されるものではない。通話識別情報は、通話相手先を示す情報であれば良い。たとえば、通話相手先を示すＩＤであっても良い。
【００３６】
受信情報一時記憶領域２２は、受信したＦＡＸデータ、または、電子メールデータを一時記憶する。ＦＡＸデータ、または、電子メールデータの詳細は後述する。ＦＡＸデータ、または、電子メールデータは、インターネット回線５、または、電話回線通信部６を介して情報処理装置１０に送信されてきた情報である。第１の実施形態では、例えば、ＦＡＸと電子メールとの画像情報である。例えば、一般的に印刷出力されるＦＡＸの画像情報である。情報処理装置１０により受信されたＦＡＸ、または、電子メールが、受信情報一時記憶領域２２に一時記憶される。一般的に、電子メールは、電子メール本文情報と、添付ファイルと含む。電子メール本文情報は、電子メールで送信される文字情報である。また、添付ファイルは、電子メール本文情報に添付されて送信されるファイルである。本実施形態では、電子メール本文情報と添付ファイルとが、受信情報一時記憶領域２２に一時記憶される。また、情報処理装置１０により受信されたＦＡＸデータも受信情報一時記憶領域２２に一時記憶される。尚、受信情報一時記憶領域２２は、情報処理装置１０が受信した電子メールデータと共に、電子メールデータを送信した送信元の電子メールアドレスも一時記憶する。受信情報一時記憶領域２２に記憶される電子メールアドレスは、一般的なコンピュータで電子メールを送受信するための電子メールアドレスでもよい。また、携帯電話の電子メールアドレスでもよい。電子メールの送受信を行うため、または、ネットワークを介して情報の送受信を行うためのアドレスであれば、受信情報一時記憶領域２２に記憶される電子メールアドレスは、特に限定されない。
【００３７】
尚、第１の実施形態では、受信情報の一例として、電子メールが記載されているが、これに限定されるものではない。例えば、電子メールを介さず、電子メールソフトウェア以外のアプリケーションにより直接送信された表示情報であっても良い。電子メールを介さず直接送信された写真等の画像情報、または、ドキュメントや発表資料などのデータファイルが、表示情報として受信情報一時記憶領域２２に記憶されても良い。音楽などのデータファイルであっても良い。
【００３８】
表示情報一時記憶領域２３は、ＨＤＤ３に記憶された過去に受信したＦＡＸデータ、または、電子メールデータの中から、抽出された情報が一時記憶される。通話部１１により、電話の着信または発信があったことに基づいて、過去に受信したＦＡＸデータまたは電子メールデータが抽出される。抽出された情報は、表示情報一時記憶領域２３に一時記憶される。抽出方法の詳細については、後述する。
【００３９】
ＨＤＤ３は、個人情報記憶領域３１とＦＡＸデータ記憶領域３２と電子メールデータ記憶領域３３とを含む。個人情報記憶領域３１は、通話相手等の個人情報を記憶する。図３は、個人情報記憶領域３１に記憶される個人情報の記憶状態の一例を示す概念図である。図３に示すように、個人情報は、アドレスＩＤと名前と電話番号と電子メールアドレスと登録画像とを含む。アドレスＩＤは、個人情報が登録された順序または個人情報の登録番号を示す識別情報である。名前は、個人情報として登録された通話相手等の名前を示す情報である。電話番号は、通話相手等の電話番号を示す情報である。電子メールアドレスは、通話相手等の電子メールアドレスを示す情報である。登録画像は、個人情報として登録された通話相手等を示す画像情報である。尚、ＨＤＤ３の代わりに、不揮発性のメモリが用いられても良い。例えば、不揮発性のフラッシュメモリーである。個人情報記憶領域３１に記憶される電話番号は、固定電話の電話番号であっても良いし、携帯電話の電話番号であっても良い。ＩＰ電話の電話番号であっても良い。しかしながら、通話識別情報は電話番号に限定されるものではない。通話識別情報は、通話相手先を示す情報であれば良い。たとえば、通話相手先を示すＩＤであっても良い。また、個人情報記憶領域３１に記憶される電子メールアドレスは、一般的なコンピュータで電子メールを送受信するための電子メールアドレスでもよい。また、携帯電話の電子メールアドレスでもよい。電子メールの送受信を行うため、または、ネットワークを介して情報の送受信を行うためのアドレスであれば、個人情報記憶領域３１に記憶される電子メールアドレスは、特に限定されない。図３では、個人情報記憶領域３１に記憶される電話番号に対して、１つの電子メールアドレスが対応付けられて記憶されている。個人情報記憶領域３１に記憶される電話番号に対して、１つ以上の電子メールアドレスが対応付けられて記憶されても良い。また個人情報記憶領域３１に記憶されるアドレスＩＤ、または、名前に１つ以上の電話番号が対応付けられて記憶されても良い。
【００４０】
ＦＡＸデータ記憶領域３２は、情報処理装置１０が受信したＦＡＸデータを記憶する。第１の実施形態では、詳細には説明しないが、受信されるＦＡＸデータは、電話回線通信部６を介して受信される。ＦＡＸデータを受信する構成は特に図示していない。ＦＡＸデータを受信する構成は、公知のＦＡＸの構成と同様である。図４は、ＦＡＸデータ記憶領域に記憶されたＦＡＸデータ３２の記憶状態を示す概念図である。図４に示すように、ＦＡＸデータは、アドレスＩＤと、電話番号と、受信日時と、ＦＡＸ画像データとを含む。アドレスＩＤと電話番号とは、図３に示すアドレスＩＤと電話番号と同じである。受信日時は、ＦＡＸを受信した日時を示す情報である。図４に示すように、ＦＡＸを受信した「２００９／１／１０」といった日時情報が、受信したＦＡＸ画像データと対応付けられてＦＡＸデータ記憶領域３２に記憶される。ＦＡＸ画像データは、受信したＦＡＸの画像情報である。第１の実施形態では、受信したＦＡＸ画像データが「．ｔｉｆｆ」形式の画像でＦＡＸデータ記憶領域３２に記憶される。
【００４１】
電子メールデータ記憶領域３３は、情報処理装置１０が受信した電子メールデータを記憶する。第１の実施形態では、受信される電子メールデータは、インターネット通信部５を介して受信される。図５は、電子メールデータ記憶領域３３に記憶された電子メールの記憶状態を示す概念図である。図５に示すように、電子メールデータは、アドレスＩＤと、電子メールアドレスと、受信日時と、電子メール画像データと、と添付ファイルとを含む。アドレスＩＤと電子メールアドレスとは、図３に示すアドレスＩＤと電子メールアドレスと同じである。受信日時は、電子メールを受信した日時を示す情報である。図５に示すように、電子メールを受信した「２００９／２／１７」といった日時情報が、受信した電子メール画像データと対応付けられて電子メールデータ記憶領域３３に記憶される。電子メール画像データは、受信した電子メールの画像情報である。第１の実施形態では、受信した電子メールの電子メール画像データが電子メールデータ記憶領域３３に記憶される。一般的な電子メールは、ヘッダーと本文情報とを含む。ヘッダーは、メールの表題と、メールを送信した送信者の名前及びメールアドレスとを少なくとも含む。ヘッダーとして、メールの送信日付、または、メールの宛先のメールアドレスが含まれても良い。一方、本文情報は、送信者により入力されたメールの本文を示す情報である。本実施形態では、電子メール画像データは、上述したヘッダーと本文情報とを含む。少なくとも本文情報が含まれていれば良い。添付ファイルは、受信した電子メールに添付されていた添付ファイルである。受信した電子メールに添付ファイルがあった場合、図５に示す電子メール画像データと対応付けられて、添付ファイルが電子メールデータ記憶領域３３に記憶される。添付ファイルがなかった場合、添付ファイルがなかったことを示す「ｎｕｌｌ」が、図５に示すように受信した電子メール画像データと対応付けられて記憶される。添付ファイルとして記憶される情報として、図５に示すように、画像データ、動画データ、音楽データ、ドキュメントデータ等である。画像データは、写真等を含む。ドキュメントデータは、文字等により構成された文書データ、または、発表用のスライドデータである。
【００４２】
ＲＯＭ４は、プログラム記憶領域４１を含む。プログラム記憶領域４１は、メイン動作プログラム記憶領域４２と通話中処理プログラム記憶領域４３とを含む。メイン動作プログラム記憶領域４２は、情報処理装置１０のメイン動作プログラムを記憶する。メイン動作プログラムは、情報処理装置１０を制御するためのプログラムである。通話中処理プログラム記憶領域４３は、通話中処理プログラムを記憶する。通話中処理プログラムは、通話部１１により通話中の際に実行されるプログラムである。
【００４３】
インターネット通信部５は、情報処理装置１０とインターネットとを接続する。インターネット通信部５は、ネットワークを介して他の装置と情報の送受信を行う。
【００４４】
電話回線通信部６は、情報処理装置１０と電話回線とを接続する。電話回線は、公知の電話回線である。電話回線通信部６は、電話回線を介して他の装置と通話、または、ＦＡＸを行う。
【００４５】
通話部１１は、電話回線通信部６を介して他の装置と通話を行う。通話部１１は、音声入力部１３と音声出力部１４とを含む。音声入力部１３は、情報処理装置１０の利用者の音声を入力する。たとえば、公知のマイク等である。音声入力部１３により入力された音声は、音声情報として情報処理装置１により取得される。取得された音声情報は、電話回線通信部６を介して他の装置へ送信される。また、音声出力部１４は、電話回線通信部６を介して受信された音声情報を出力する。たとえば、音声出力部１４は、スピーカである。電話回線通信部６を介して他の装置から受信された音声情報が、音声出力部１４により出力される。
【００４６】
タッチパネルディスプレイ１２は、表示制御部１５と表示部１６とタッチパネル１７と入力制御部１８とを含む。表示制御部１５は、表示部１６に供給する表示信号を生成する。表示制御部１５により生成される表示信号は、ＲＡＭ２またはＨＤＤ３等の記憶手段に記憶される表示情報または画像情報に基づいて生成される。表示部１６は、表示制御部１５より供給された表示信号に基づいて所定の表示を行う。
【００４７】
入力制御部１８は、タッチパネル１７により接触入力された入力信号を受信する。接触入力された入力信号と、タッチパネル１７の接触位置とに基づいて、入力制御部１８は、所定の処理動作を決定する。図６は、タッチパネルディスプレイ１２により表示される表示情報の一例を示す概念図である。図６に示すように、タッチパネルディスプレイ１２には、受信表示情報表示領域５１と、通話者名表示領域５８と、通話先電話番号表示領域５９と通話相手画像表示領域６０とが含まれる。受信表示情報表示領域５１は、情報処理装置１０が受信した電子メール、または、ＦＡＸデータを表示させる領域である。また、通話者名表示領域５８は、現在通話中の相手の名前を表示する領域である。また、通話先電話番号表示領域５９は、現在通話中の電話番号を表示する領域である。通話相手画像表示領域６０は、現在通話中の相手の画像情報を表示させる。通話相手の画像情報は、個人情報記憶領域３１に登録画像として記憶される情報である。
【００４８】
また、タッチパネルディスプレイ１２には、通話ボタン表示領域５２と発信ボタン表示領域５３とスクロールボタン表示領域５４とスクロールボタン表示領域５５と電子メール表示ボタン表示領域５６とＦＡＸ表示ボタン表示領域５７とを含む。上記ボタンの表示領域夫々が利用者のペン２０等により接触されることで、所定の処理動作が実行される。通話ボタン表示領域５２は、他者から電話回線を介して情報処理装置１０に着信があったとき、通話を行うためのボタンである。発信ボタン表示領域５３は、利用者により電話番号が指定され、情報処理装置１０から他者発信を行うためのボタンである。ＦＡＸ表示ボタン表示領域５７は、ＦＡＸデータ記憶領域３２に記憶されたＦＡＸデータを表示するためのボタンである。電子メール表示ボタン表示領域５６は、電子メールデータ記憶領域３３に記憶された電子メールデータを表示させるためのボタンである。スクロールボタン表示領域５４、または、スクロールボタン表示領域５５は、受信表示情報表示領域５１に表示される表示情報をスクロールするためのボタンである。受信表示情報表示領域５１に複数の表示情報が表示されるとき、スクロールボタン表示領域５４、または、スクロールボタン表示領域５５が接触されることで、複数の表示情報を切り替えて表示することができる。これらのボタンが利用者により接触されることで、上述した処理動作が入力制御部１８により制御される。タッチパネル１７は、公知のタッチパネルである。
【００４９】
なお、ＨＤＤ３に記憶されるプログラムは、例えば、インターネット通信部５を介してネットワーク上の所定のサーバからダウンロードされるようにしてもよい。また、ＣＤ−ＲＯＭ等の記録媒体に記録されて当該記録媒体のドライブを介して読み込まれるようにしても良い。
【００５０】
［第１の実施形態の情報処理装置１０のメイン処理動作］
以上説明した構成からなる第１の実施形態の情報処理装置１０の動作及び作用について、添付図面を参照して説明する。図７は、情報処理装置１０における第１の実施形態のメイン動作の処理手順を示すフローチャートである。メイン処理動作は、メイン処理動作プログラムに従って実行される。情報処理装置１０の電源がオンにされたことに基づいて、情報処理装置１０のメイン動作処理が実行される。ＣＰＵ１がメイン動作プログラムを実行することにより、遂行される。以下に示す処理は、ＣＰＵ１により処理される。
【００５１】
ステップＳ１０１では、他の装置から情報処理装置１０への電話またはＦＡＸの着信、または、情報処理装置１０から他の装置への電話またはＦＡＸの発信があったか否かが判定される。まず、電話またはＦＡＸの着信は、電話回線通信部６を介しての電話またはＦＡＸの着信が情報処理装置１０に受信される。電話回線通信部６を介して、電話またはＦＡＸの情報が受信されたことにより、電話またはＦＡＸの着信があったと判定される。一方、電話またはＦＡＸの発信は、まず、利用者により電話番号が決定される。そして、発信ボタン表示領域５３が接触されることで、決定された電話番号を宛先として電話またはＦＡＸが発信される。そのため、発信ボタン表示領域５３が接触されたことにより、電話またはＦＡＸの発信があったと判定される。電話またはＦＡＸの着信、または、電話またはＦＡＸの発信があったと判定されたとき、ステップＳ１０２が実行される。電話またはＦＡＸの着信、または、電話またはＦＡＸの発信があったと判定されなかったとき、ステップＳ１１４が実行される。
【００５２】
ステップＳ１０２では、ＦＡＸが情報処理装置１により受信されたか否かが判定される。ＦＡＸが受信されたか否かは、電話回線通信部６を介してＦＡＸデータが受信されたか否かにより判定される。ＦＡＸが受信されたと判定されたとき、ステップＳ１１２が実行される。ＦＡＸが受信されたと判定されなかったとき、ステップＳ１０３が実行される。
【００５３】
ステップＳ１０３では、通話相手先の電話番号が取得される。電話の着信の場合、電話を発信した他の装置が、発信と共に他の装置の電話番号を情報処理装置１０へ送信する。情報処理装置１０へ送信された電話番号がステップＳ１０３で取得される。取得された電話番号は、通話識別情報一時記憶領域２１に一時記憶される。一方、電話の発信の場合、ステップＳ１０１で発信先として決定された電話番号が、通話識別情報一時記憶領域２１に一時記憶される。
【００５４】
ステップＳ１０４では、ステップＳ１０３で取得された電話番号と一致する電話番号が、個人情報記憶領域２１に記憶されているかが検索される。具体的には、通話識別情報一時記憶領域２１に記憶された電話番号と、個人情報記憶領域２１に記憶された電話番号とが比較される。
【００５５】
ステップＳ１０５では、ステップＳ１０４の検索の結果、一致する電話番号が存在するか否かが判定される。ステップＳ１０４で比較した結果、通話識別情報一時記憶領域に記憶された電話番号と個人情報記憶領域３１に記憶された電話番号とが一致した場合、一致する電話番号が存在すると判定される。一致する電話番号が存在すると判定されたとき、ステップＳ１０６が実行される。一致する電話番号が存在すると判定されなかったとき、ステップＳ１１０が実行される。
【００５６】
ステップＳ１０６では、ステップＳ１０５で一致すると判定された電話番号のアドレスＩＤが決定される。以下ステップＳ１０５で決定されたアドレスＩＤが「１」である場合を用いて、以下説明する。
【００５７】
ステップＳ１０７では、ステップＳ１０６で決定されたアドレスＩＤに対応するＦＡＸ画像データと受信日時とが、ＦＡＸデータ記憶領域３２から取得される。また、アドレスＩＤに対応する電子メール画像データと受信日時とが、電子メールデータ記憶領域３３から取得される。具体的には、アドレスＩＤ「１」に対応するＦＡＸ画像データである「ｆａｘ＿ｒｅｃｖ１．ｔｉｆｆ」、「ｆａｘ＿ｒｅｃｖ２．ｔｉｆｆ」・・・等のＦＡＸ画像データが取得される。同様に、アドレスＩＤ「１」に対応する電子メール画像データである「画像データ」、「動画データ」・・・等が取得される。取得された情報は、表示情報一時記憶領域２３へ一時記憶される。
【００５８】
ステップＳ１０８では、表示情報一時記憶領域２３に一時記憶された受信日時に基づいて、ステップＳ１０７で取得された情報がソートされる。具体的には、受信日時が新しい情報から順番に抽出された情報がソートされる。
【００５９】
ステップＳ１０９では、ステップＳ１０８でソートされた情報の中から、受信日時が最も新しい情報が、受信表示情報表示領域５１に表示される。第１の実施形態では、受信日時が最も新しい情報が表示されているが、これに限定されるものではない。受信日時が新しい順番に所定の数の情報が決定されても良い。この場合、決定された情報が、受信表示情報表示領域５１に表示される。ステップＳ１０９では、受信日時が最も新しいＦＡＸ画像データ、または、電子メール画像データが、表示情報一時記憶領域２３から取得されて、受信表示情報表示領域５１に表示される。
【００６０】
ステップＳ１１０では、電話接続処理が実行される。電話接続処理は、ステップＳ１１０で着信、または、発信のあった通話相手と通話するための接続処理である。接続処理が実行されることで、通話相手との通話が可能となる。
【００６１】
ステップＳ１１１では、通話中処理が実行される。通話中処理の詳細については、後述する。
【００６２】
ステップＳ１１２では、ＦＡＸ画像データが受信される。受信されたＦＡＸ画像データは、ＦＡＸの送信元の電話番号と、ＦＡＸ画像データとを含む。
【００６３】
ステップＳ１１３では、ステップＳ１１２で受信されたＦＡＸ画像データが、ＦＡＸデータ記憶領域３２に記憶される。具体的には、ステップＳ１１２でＦＡＸが受信された受信日時が取得される。受信日時は、図示はしないが情報処理装置１により設定された日時情報である。この日時情報は、情報処理装置の利用者により設定される。または、インターネットを介して日時情報が自動で設定される。また、受信されたＦＡＸが含む電話番号に対応するアドレスＩＤが、個人情報記憶領域３１の中から決定される。受信されたＦＡＸが含む電話番号または決定されたアドレスＩＤと対応付けられて、ＦＡＸ画像データと受信日時とがＦＡＸデータ記憶領域３２に記憶される。
【００６４】
ステップＳ１１４では、電子メールが情報処理装置１により受信されたか否かが判定される。電子メールが受信されたと判定されたとき、ステップＳ１１５が実行される。電子メールが受信されたと判定されなかったとき、ステップＳ１１７が実行される。
【００６５】
ステップＳ１１５では、電子メール画像データが受信される。受信された電子メールは、電子メールの送信元の電子メールアドレスと、電子メール画像データとを含む。電子メールに添付ファイルが添付されている場合、添付ファイルも受信される。
【００６６】
ステップＳ１１６では、ステップＳ１１５で受信された電子メールが、電子メールデータ記憶領域３３に記憶される。具体的には、ステップＳ１１５で電子メールが受信された受信日時が取得される。受信日時は、図示はしないが情報処理装置１により設定された日時情報である。この日時情報は、情報処理装置の利用者により設定される。または、インターネットを介して日時情報が自動で設定される。また、受信された電子メールが含む電子メールアドレスに対応するアドレスＩＤが、個人情報記憶領域３１の中から決定される。受信された電子メールが含む電子メールアドレスまたは決定されたアドレスＩＤと対応付けられて、電子メール画像データと添付ファイルと受信日時とが、電子メールデータ記憶領域３３に記憶される。
【００６７】
ステップＳ１１７では、情報処理装置１０の電源がオフにされたか否かが判定される。情報処理装置１０が備える電源がオフにされたか否かが判定される。電源がオフにされたと判定されたとき、メイン処理動作は終了される。電源がオフにされたと判定されなかったとき、ステップＳ１０１が再度実行される。
【００６８】
（第１の実施形態の通話中処理）
図８は、情報処理装置１０における第１の実施形態の通話中処理の手順を示すフローチャートである。通話中処理は、通話中処理プログラムに従って実行される。ステップＳ２０１では、ステップＳ１１０で実行された電話接続が切断されたか否かが判定される。具体的には、情報処理装置１０が、一定期間以上の間、電話回線通信部６により情報を送受信しなかったとき、電話接続が切断されたと判定される。切断されたと判定されたとき、通話中処理は終了される。切断されたと判定されなかったとき、ステップＳ２０２が実行される。
【００６９】
ステップＳ２０２では、インターネット通信部５を介して、電子メールが受信されたか否かが判定される。電子メールが受信されたと判定されたとき、ステップＳ２０３が実行される。電子メールが受信されたと判定されなかったとき、ステップＳ２０１が再度実行される。
【００７０】
ステップＳ２０３では、ステップＳ２０２で受信した電子メールの電子メールアドレスが取得される。具体的には、ステップＳ２０２で受信した電子メールは、受信情報一時記憶領域２２に一時記憶される。ステップＳ２０２で受信された電子メールは、上述したヘッダーと本文情報とを含む。ヘッダーは、電子メールの送信元の電子メールアドレスを含む。ヘッダーが含む電子メールアドレスが取得される。受信情報一時記憶領域２２には、電子メールアドレスが一時記憶される。また、受信情報一時記憶領域２２には、電子メール画像データとして、少なくとも本文情報が記憶される。電子メールに添付ファイルが添付されていた場合、添付ファイルも受信情報一時記憶領域２２に一時記憶される。
【００７１】
ステップＳ２０４では、ステップＳ２０３で受信した電子メールアドレスの送信者と、通話相手とが一致するか否かが判定される。具体的には、個人情報記憶領域３１の中から、ステップＳ２０３で取得した電子メールアドレスと一致する電子メールアドレスが検索される。ステップＳ２０３で取得した電子メールアドレスと一致する電子メールアドレスが、個人情報記憶領域３１にあったとき、一致する電子メールアドレスのアドレスＩＤが取得される。このアドレスＩＤを、電子メールアドレスＩＤと称する。一方、個人情報記憶領域３１の中から、通話識別情報一時記憶領域２１に記憶された電話番号と一致する電話番号が検索される。通話識別情報一時記憶領域２１に記憶された電話番号と一致する電話番号が、個人情報記憶領域３１にあったとき、一致する電話番号のアドレスＩＤが取得される。このアドレスＩＤを、通話相手アドレスＩＤと称する。電子メールアドレスＩＤと、通話相手アドレスＩＤとが一致したとき、電子メールアドレスの送信者と、通話相手とが一致すると判定される。一致すると判定されたとき、ステップＳ２０５が実行される。一致しないと判定されたとき、ステップＳ２０７が実行される。尚、個人情報記憶領域３１の中に、ステップＳ２０３で取得した電子メールアドレスと一致する電子メールアドレスが無かったとき、ステップＳ２０４では、一致しないと判定される。
【００７２】
ステップＳ２０５では、表示制御部１５により、通話中の通話相手から電子メール受信したことを示す情報が表示部１６に表示される。
【００７３】
ステップＳ２０６では、受信情報一時記憶領域２２に一時記憶された電子メール画像データが、表示部１６に表示される。ステップＳ２０６で表示される電子メール画像データは、ステップＳ２０２で受信した電子メール画像データである。これにより、利用者は、通話応答中であっても、通話相手から受信した電子メールを、自動で表示部１６により閲覧することができる。
【００７４】
ステップＳ２０７では、ステップＳ２０２で受信された電子メールデータが、電子メールデータ記憶領域３３に記憶される。具体的には、ステップＳ２０２で電子メールが受信された受信日時が取得される。受信日時は、図示はしないが情報処理装置１により設定された日時情報である。この日時情報は、情報処理装置の利用者により設定される。または、インターネットを介して日時情報が自動で設定される。また、受信された電子メールが含む電子メールアドレスに対応するアドレスＩＤが、個人情報記憶領域３１の中から決定される。ステップＳ２０２で受信情報一時記憶領域２２に記憶された情報が、電子メールデータ記憶領域３３に記憶される。受信された電子メールデータが含む電子メールアドレスまたは決定されたアドレスＩＤと対応付けられて、電子メール画像データと添付ファイルと受信日時とが電子メールデータ記憶領域３３に記憶される。
【００７５】
第１の実施形態では、ステップＳ１１２及びステップＳ１１５では、受信したＦＡＸデータまたは電子メールデータが夫々、ＦＡＸデータ記憶領域３２または電子メールデータ記憶領域３３に記憶された。本発明は、これに限定されるものではない。例えば、ステップＳ１１２及びステップＳ１１５で、ＦＡＸまたは電子メールの送受信が判定されても良い。この場合、ステップＳ１１３では、ＦＡＸの送信先を示す電話番号と対応付けられてＦＡＸ画像データが、ＦＡＸデータ記憶領域３２に記憶される。また、ステップＳ１１６では、電子メールの送信先を示す電子メールアドレスと対応付けられて、電子メール画像データが電子メールデータ記憶領域３３に記憶される。上記の場合、ステップＳ１０７では、情報処理装置１０により送受信されたＦＡＸ画像データ及び電子メール画像データの中から、情報が取得される。ステップＳ１０７で取得された情報が、ステップＳ１０８及びステップＳ１０９の処理を経て、表示部１６に表示される。
【００７６】
また、第１の実施形態では、ステップＳ１０６からステップＳ１０９の処理が実行された後に、ステップＳ１１０の電話接続処理が実行されている。本発明は、これに限定されるものではない。例えば、ステップＳ１１０の電話接続処理が実行された後に、ステップＳ１０６からステップＳ１０９の処理が実行されても良い。
【００７７】
＜第２の実施形態＞
以下、本発明の第２の実施形態を図９から図１３に基づいて説明する。以降、第２の実施形態については、第１の実施形態と異なる点についてのみ説明する。第２の実施形態の情報処理装置１０の外観図については、図１に示す第１の実施形態の外観図と同じである。第２の実施形態では、情報処理装置１０が受信するＦＡＸ及び電子メールは、個人識別情報を含む。このことを前提に、以下説明する。個人識別情報の詳細は後述する。
【００７８】
［第２の実施形態の情報処理装置１０の電気的構成］
第２の実施形態の情報処理装置１０の電気的構成については、図２に示す第１の実施形態の電気的構成と同じである。第１の実施形態と異なる点は、個人情報記憶領域３１とＦＡＸデータ記憶領域３２と電子メールデータ記憶領域３３とに夫々記憶される情報の記憶状態である。
【００７９】
図９は、第２の実施形態における個人情報記憶領域３１に記憶される個人情報の記憶状態の一例を示す概念図である。図９は、個人情報が記憶される記憶状態を示す。第１の実施形態と第２の実施形態との違いは、アドレスＩＤまたは電話番号または電子メールアドレスと、１以上の個人識別情報とが対応付けられて、個人情報記憶領域３１に記憶されている点である。
【００８０】
図９に示すように、アドレスＩＤと名前と電話番号と電子メールアドレスとは、第１の実施形態と同様に、夫々１対１で対応付けられている。第２の実施形態は、１つの電話番号が、１以上の個人に割り当てられること想定している。つまり、図９に示す名前が、１以上の個人識別情報の中の代表者の名前が登録されている場合である。一般の家庭では、１つの電話番号に対して、複数の利用者が存在する。第２の実施形態では、このような場合にも対応可能である。図９のアドレスＩＤまたは電話番号はまたは電子メールアドレスは、１以上の個人識別情報として、「お父さん」と「お母さん」と「おじいちゃん」と「おばあちゃん」と「息子」と対応付けられている。図９の例では、情報処理装置１０が家庭で用いられる場合の例を用いている。家庭以外の例に適用されても良い。例えば、個人の名前が個人識別情報として用いられても良い。
【００８１】
図１０は、第２の実施形態におけるＦＡＸデータ記憶領域３２に記憶されるＦＡＸデータの一例を示す概念図である。第１の実施形態と第２の実施形態との違いは、アドレスＩＤまたは電話番号と、１以上の個人識別情報とが対応付けられている点である。また、個人識別情報ごとに、受信したＦＡＸ画像データと受信日時とが分類分けされて記憶されている点も、第１の実施形態異なる。
【００８２】
図１１は、第２の実施形態における電子メールデータ記憶領域３３に記憶される電子メールデータの一例を示す概念図である。第１の実施形態と第２の実施形態との違いは、アドレスＩＤまたは電子メールアドレスと、１以上の個人識別情報とが対応付けられている点である。また、個人識別情報ごとに、受信日時と、受信した電子メール画像データと添ファイルとが分類分けされて記憶されている点も、第１の実施形態異なる。
【００８３】
［第２の実施形態の情報処理装置１０のメイン処理動作］
以上説明した構成からなる第２の実施形態の情報処理装置１０の動作及び作用について、添付図面を参照して説明する。図１２は、情報処理装置１０における第２の実施形態のメイン動作の処理手順を示すフローチャートである。メイン処理動作は、メイン処理動作プログラムに従って実行される。情報処理装置１０の電源がオンにされたことに基づいて、情報処理装置１０のメイン動作処理が実行される。ＣＰＵ１がメイン動作プログラムを実行することにより、遂行される。以下に示す処理は、ＣＰＵ１により処理される。
【００８４】
ステップＳ３０１では、ステップＳ１０１と同様に、他の装置から情報処理装置１０への電話またはＦＡＸの着信、または、情報処理装置１０から他の装置への電話またはＦＡＸの発信があったか否かが判定される。第１の実施形態と異なる点は、電話またはＦＡＸの発信、または、電話またはＦＡＸの着信を行う際、通話相手の個人を識別する点である。そのため、ステップＳ１０１で電話またはＦＡＸの発信を行う際は、個人識別情報が発信先へ送信される。また、着信の際も、他の装置から個人識別情報が情報処理装置１０へ送信される。
【００８５】
ステップＳ３０２は、ステップＳ１０２と同様の処理である。
【００８６】
ステップＳ３０３では、通話相手先の電話番号と個人識別情報とが取得される。電話の着信の場合、電話を発信した他の装置が、発信と共に他の装置の電話番号と個人識別情報とを情報処理装置１０へ送信する。情報処理装置１０へ送信された電話番号と個人識別情報とがステップＳ３０３で取得される。取得された電話番号と個人識別情報とは、通話識別情報一時記憶領域２１に一時記憶される。一方、電話の発信の場合、ステップＳ３０１で発信先として決定された電話番号と個人識別情報とが、通話識別情報一時記憶領域２１に一時記憶される。
【００８７】
ステップＳ３０４では、ステップＳ３０３で取得された電話番号と個人識別情報とに一致する情報が、個人情報記憶領域２１に記憶されているかが検索される。具体的には、通話識別情報一時記憶領域２１に記憶された電話番号及び個人識別情報と、個人情報記憶領域２１に記憶された情報とが比較される。
【００８８】
ステップＳ３０５では、ステップＳ３０４の検索の結果、通話識別情報一時記憶領域２１に記憶された電話番号と個人情報とに一致する電話番号と個人識別情報とが、個人情報記憶領域３１の中に存在するか否かが判定される。ステップＳ３０４で比較した結果、通話識別情報一時記憶領域２１に記憶された電話番号及び個人識別情報と、個人情報記憶領域３１に記憶された電話番号及び個人識別情報とが一致した場合、一致する情報が存在すると判定される。一致する情報が存在すると判定されたとき、ステップＳ３０６が実行される。一致する情報が存在すると判定されなかったとき、ステップＳ３１０が実行される。
【００８９】
ステップＳ３０６では、ステップＳ３０５で一致すると判定された電話番号と個人識別情報とのアドレスＩＤが決定される。また、ステップＳ３０５で一致すると判定された情報の個人識別情報が決定される。以下ステップＳ３０５で決定されたアドレスＩＤが「１」で、個人識別情報が「お父さん」である場合を用いて、説明する。
【００９０】
ステップＳ３０７では、ステップＳ３０６で決定されたアドレスＩＤと個人識別情報とに対応するＦＡＸ画像データと受信日時とが、ＦＡＸデータ記憶領域３２から取得される。また、アドレスＩＤと個人識別情報とに対応する電子メール画像データと受信日時とが、電子メールデータ記憶領域３３から取得される。具体的には、アドレスＩＤ「１」と個人識別情報「お父さん」とに対応するＦＡＸ画像データである「ｆａｘ＿ｒｅｃｖ１．ｔｉｆｆ」、「ｆａｘ＿ｒｅｃｖ２．ｔｉｆｆ」・・・等のＦＡＸ画像データが取得される。同様に、アドレスＩＤ「１」と個人識別情報「お父さん」とに対応する電子メール画像データである「画像データ」、「動画データ」・・・等が取得される。取得された情報は、表示情報一時記憶領域２３へ一時記憶される。
【００９１】
以降、ステップＳ３０８からステップＳ３１０の処理は、ステップＳ１０８とステップＳ１１０と同様の処理である。
【００９２】
ステップＳ３１１では、通話中処理が実行される。通話中処理の詳細については、後述する。
【００９３】
ステップＳ３１２では、ＦＡＸ画像データが受信される。受信されたＦＡＸ画像データは、ＦＡＸの送信先の電話番号と、個人識別情報と、ＦＡＸ画像データとを含む。
【００９４】
ステップＳ３１３では、ステップＳ３１２で受信されたＦＡＸが、ＦＡＸデータ記憶領域３２に記憶される。具体的には、ステップＳ３１２でＦＡＸが受信された受信日時が取得される。受信日時は、図示はしないが情報処理装置１により設定された日時情報である。この日時情報は、情報処理装置の利用者により設定される。または、インターネットを介して日時情報が自動で設定される。また、受信されたＦＡＸが含む電話番号に対応するアドレスＩＤが、個人情報記憶領域３１の中から決定される。受信されたＦＡＸが含む電話番号または決定されたアドレスＩＤと、受信されたＦＡＸが含む個人識別情報とに対応付けられて、ＦＡＸ画像データと受信日時とがＦＡＸデータ記憶領域３２に記憶される。
【００９５】
ステップＳ３１４は、ステップＳ１１４と同様の処理である。
【００９６】
ステップＳ３１５では、電子メール画像データが受信される。受信された電子メール画像データは、電子メールの送信先の電子メールアドレスと、個人識別情報と、電子メール画像データとを含む。
【００９７】
ステップＳ３１６では、ステップＳ３１５で受信された電子メールが、電子メールデータ記憶領域３３に記憶される。具体的には、ステップＳ３１５で電子メールが受信された受信日時が取得される。受信日時は、図示はしないが情報処理装置１により設定された日時情報である。この日時情報は、情報処理装置の利用者により設定される。または、インターネットを介して日時情報が自動で設定される。また、受信された電子メールが含む電子メールアドレスに対応するアドレスＩＤが、個人情報記憶領域３１の中から決定される。受信された電子メールが含む電子メールアドレスまたは決定されたアドレスＩＤと、受信された電子メールが含む個人識別情報と対応付けられて、電子メール画像データと添付ファイルと受信日時とが、電子メールデータ記憶領域３３に記憶される。
【００９８】
ステップＳ３１７は、ステップＳ１１７と同様の処理である。
【００９９】
（第２の実施形態の通話中処理）
図１３は、情報処理装置１０における第２の実施形態の通話中処理の手順を示すフローチャートである。通話中処理は、通話中処理プログラムに従って実行される。ステップＳ４０１とステップＳ４０２とは、ステップＳ２０１とステップＳ２０２と夫々同様の処理である。
【０１００】
ステップＳ４０３では、ステップＳ４０２で受信した電子メールアドレスと個人識別情報とが取得される。具体的には、ステップＳ４０２で受信した電子メールアドレスと個人識別情報とは、受信情報一時記憶領域３２に一時記憶される。ステップＳ４０２で受信された電子メールデータは、上述したヘッダーと本文情報と個人識別情報とを含む。また、電子メールの本文情報と添付ファイルとも、受信情報一時記憶領域３２に一時記憶される。
【０１０１】
ステップＳ４０４では、ステップＳ４０３で受信した電子メールの送信者と、通話相手とが一致するか否かが判定される。具体的には、まず、個人情報記憶領域３１の中から、ステップＳ４０３で取得した電子メールアドレスと個人識別情報とに一致する情報が検索される。ステップＳ４０３で取得した電子メールアドレスと個人識別情報とに一致する情報が、個人情報記憶領域３１にあったとき、電子メールアドレスと個人情報とに一致する１以上の電話番号が取得される。取得された電話番号と、ステップＳ４０３で取得された個人識別情報とが、通話識別情報一時記憶領域２１に記憶される電話番号と個人識別情報とに一致するか否かが判定される。一致すると判定されたとき、ステップＳ４０５が実行される。一致しないと判定されたとき、ステップＳ４０７が実行される。
【０１０２】
ステップＳ４０５とステップＳ４０６とは、ステップＳ２０５とステップ２０６と夫々同様の処理である。
【０１０３】
ステップＳ４０７では、ステップＳ４０２で受信された電子メール画像データが、電子メールデータ記憶領域３３に記憶される。具体的には、ステップＳ４０２で電子メールが受信された受信日時が取得される。受信日時は、図示はしないが情報処理装置１により設定された日時情報である。この日時情報は、情報処理装置の利用者により設定される。または、インターネットを介して日時情報が自動で設定される。また、受信された電子メールが含む電子メールアドレスに対応するアドレスＩＤが、個人情報記憶領域３１の中から決定される。ステップＳ４０２で受信情報一時記憶領域２２に記憶された情報が、電子メールデータ記憶領域３３に記憶される。受信された電子メールデータが含む電子メールアドレスまたは決定されたアドレスＩＤと、受信された電子メールが含む個人識別情報と対応付けられて、電子メール画像データと添付ファイルと受信日時とが電子メールデータ記憶領域３３に記憶される。
【０１０４】
第１の実施形態及び第２の実施形態の変形例について、説明する。第１の実施形態及び第２の実施形態では、電話及びＦＡＸは、電話回線通信部６を介して実行されていた。本発明は、これに限定されるものではない。変形例として、電話及びＦＡＸがインターネット通信部５を介して実行されても良い。例えば、ＩＰ電話やＩＰ−ＦＡＸ等がある。
【０１０５】
第１の実施形態のステップＳ２０６及び第２の実施形態のステップＳ４０６の変形例について説明する。第１の実施形態のステップＳ２０６及び第２の実施形態のステップＳ４０６では、情報処理装置１０が受信した電子メールデータが表示されていた。変形例として、受信した電子メールに添付ファイルが添付されているとき、添付ファイルが優先されて表示部１６に表示されても良い。一般的に、メール本文よりも重要な表示情報が、添付ファイルとして、添付されている場合があるためである。
【符号の説明】
【０１０６】
１  ＣＰＵ
２  ＲＡＭ
３  ＨＤＤ
４  ＲＯＭ
５  インターネット通信部
６  電話回線通信部
１０  情報処理装置
１１  通話部
１２  タッチパネルディスプレイ
１３  音声入力部
１４  音声出力部
１５  表示制御部
１６  表示部
１７  タッチパネル
１８  入力制御部
２０  ペン
２１  通話識別情報一時記憶領域
２２  受信情報一時記憶領域
２３  表示情報一時記憶領域
３１  個人情報記憶領域
３２  ＦＡＸデータ記憶領域
３３  電子メールデータ記憶領域
４１  プログラム記憶領域
４２  メイン動作プログラム記憶領域
４３  通話中処理プログラム記憶領域
５１  受信表示情報表示領域
５２  通話ボタン表示領域
５３  発信ボタン表示領域
５４  スクロールボタン表示領域
５５  スクロールボタン表示領域
５６  電子メール表示ボタン表示領域
５７  ＦＡＸ表示ボタン表示領域
５８  通話者名表示領域
５９  通話先電話番号表示領域
６０  通話相手画像表示領域
【図１】
2011077858.tif 000003
【図２】
2011077858.tif 000004
【図３】
2011077858.tif 000005
【図４】
2011077858.tif 000006
【図５】
2011077858.tif 000007
【図６】
2011077858.tif 000008
【図７】
2011077858.tif 000009
【図８】
2011077858.tif 000010
【図９】
2011077858.tif 000011
【図１０】
2011077858.tif 000012
【図１１】
2011077858.tif 000013
【図１２】
2011077858.tif 000014
【図１３】
2011077858.tif 000015